(57)【要約】      （修正有）【課題】子供の分娩のために望ましい体勢に患者を配置するのに十分なほどの患者の膝関節の屈曲を可能にする出産用ベッドの足支持体の解除ハンドルを提供する。【解決手段】患者支持装置１０に連結される足支持体１２，１４が、患者支持装置に対する足支持体の垂直回転及び水平回転を阻止する一対のロックを有するフレームを備えている。ロック解除アクチュエータが、垂直回転ロック及び水平回転ロックの両方を同時に解除するために前記フレームに連結されるように構成されている。手足支持体は、出産分娩の間患者の脚を支持するように構成された収納可能な脚支持体を有している。【選択図】図１
2007136204.tif 000002
【特許請求の範囲】
【請求項１】
患者支持装置の手足支持体のためのロック解除部であって、
前記患者支持装置に連結可能であり、前記患者支持装置１０に対して垂直軸及び水平軸を中心に回転するように構成されているフレームであって、互いに平行の関係で配置された一対の離間された壁を有している案内ブラケットを有し、各壁が終端と開口端とを持つ行き止まりスロットを有するように形成されており、さらに前記患者支持装置に対する前記垂直軸及び前記水平軸を中心とする前記フレームの回転を阻止するように構成されている第一回転ロック及び第二回転ロックを有しているフレームと、
前記スロットにそこへ滑動可能に受容された横断部材であって、前記第一回転ロック及び前記第二回転ロックに連結された横断部材と、
前記横断部材に連結され、前記第一回転ロック及び前記第二回転ロックをロック解除するためにそこへ作動力を加えることが可能なように配列されたグリップと
を備えているロック解除部。
【請求項２】
前記フレームと前記患者支持装置との間に延在するマウント部分をさらに備えている請求項１に記載のロック解除部。
【請求項３】
前記フレームが足支持体を備えている
ことを特徴とする請求項２に記載のロック解除部。
【請求項４】
一端で前記マウント部分に連結され、前記マウント部分の反対側の端部で前記フレームに連結されたガススプリングをさらに備えている、請求項２に記載のロック解除部。
【請求項５】
前記ガススプリングが、患者の手足によって前記フレームに加えられる荷重と釣り合いを取るために、前記フレームの前記第一軸を中心とする回転に抵抗するように構成されている
ことを特徴とする請求項４に記載のロック解除部。
【請求項６】
前記スロットが協働して前記横断部材のための移動平面を画定している
ことを特徴とする請求項１に記載のロック解除部。
【請求項７】
各スロットの前記開口端が前記グリップに向かって開口している
ことを特徴とする請求項６に記載のロック解除部。
【請求項８】
前記横断部材が、前記スロットの前記終端と係合するように付勢される
ことを特徴とする請求項６に記載のロック解除部。
【請求項９】
前記第一回転ロックと前記第二回転ロックとを同時に解除するために、前記横断部材の一部が、対応するスロットの終端と接触を保ってそこに回転点を確立し、その一方で前記横断部材の反対側の端部が前記スロットの前記開口端に向かって移動する第一解除ポジションと、前記第一回転ロックと前記第二回転ロックとを同時に解除するために前記横断部材の各部分が各スロットに沿って概ね対称的に前記終端から前記開口端に向かって移動する第二解除ポジションとの間において、前記横断部材が前記作動力を加えられて移動できるように構成されている
ことを特徴とする請求項６に記載のロック解除部。
【請求項１０】
前記グリップが、前記作動力を前記横断部材に伝達するために、前記移動平面に平行に前記グリップの長さに沿ったどの位置においても前記作動力を受けるように構成されている
ことを特徴とする請求項６に記載のロック解除部。
【請求項１１】
前記グリップがＪ字形の形状を有し、前記離間された壁の一つに隣接して前記横断部材に一端において連結されている
ことを特徴とする請求項６に記載のロック解除部。
【請求項１２】
前記ロック解除部がさらに、前記第一ロックに連結された第一ケーブルと、前記第二ロックに連結された第二ケーブルとを備え、
前記横断部材が一対の開口を有するように形成され、各開口が一つのケーブルの一端を受容するように構成されている
ことを特徴とする請求項１に記載のロック解除部。
【請求項１３】
前記第一回転ロック及び前記第二回転ロックが、
前記フレームに連結された外側ハウジングと、
前記ハウジングと係合するように配置されたラップスプリングと、
前記ラップスプリングを貫通して伸張するシャフトと、
離間された関係で配置されて前記外側ハウジングの相対する両側に連結され、前記ロック解除部に連結された第一フランジ及び第二フランジと、
を有している
ことを特徴とする請求項１に記載のロック解除部。
【請求項１４】
前記ラップスプリングが前記シャフトに沿って自由に移動できるように、前記フランジが、加えられる前記作動力を受けてお互いに向かって動いて前記ラップスプリングの内径の拡張を引き起こすように構成されている
ことを特徴とする請求項１３に記載のロック解除部。
【請求項１５】
患者支持装置の手足支持体のためのロック解除部であって、
前記患者支持装置に連結可能であり前記患者支持装置に対して第一軸及び第二軸を中心に回転するように構成されているフレームであって、前記患者支持装置に対する前記第一軸及び前記第二軸を中心とする前記フレームの回転動作を阻止するように構成されている第一軸回転ロック及び第二軸回転ロックを有しているフレームと、
前記フレームに取り付けられたアクチュエータであって、前記第一軸回転ロック及び前記第二軸回転ロックに連結され、前記患者支持装置に対する前記フレームの回転動作を可能にするために、作動力の加力を受けて同時に各ロックを解除するように構成されているアクチュエータと、
前記アクチュエータに連結されたアクチュエータハンドルであって、移動平面を定義し、前記移動平面に沿って前記ハンドルの長さに沿ったどの位置に加えられる作動力も前記アクチュエータに伝達するように構成されているハンドルと
を備えているロック解除部。
【請求項１６】
前記フレームに取り付けられた足支持体をさらに備えている、請求項１５に記載のロック解除部。
【請求項１７】
前記アクチュエータが、互いに平行の関係で配置された一対の離間された壁を有している案内ブラケットを有しており、各壁が終端と開口端とを持つ行き止まりスロットを有するように形成されている
ことを特徴とする請求項１５に記載のロック解除部。
【請求項１８】
各スロット開口端が前記ハンドルに向かって開口している
ことを特徴とする請求項１７に記載のロック解除部。
【請求項１９】
前記スロットにそこへ滑動可能に受容された横断部材であって、前記第一軸回転ロック及び前記第二軸回転ロックに連結されている横断部材をさらに備えている、請求項１７に記載のロック解除部。
【請求項２０】
前記第一軸回転ロックと前記第二軸回転ロックとを同時に解除するために、前記横断部材の一部が、対応するスロットの終端と接触を保ってそこに回転点を確立し、その一方で前記横断部材の反対側の端部が前記スロットの前記開口端に向かって移動する第一解除ポジションと、前記第一軸回転ロックと前記第二軸回転ロックとを同時に解除するために前記横断部材の各部分が各スロットに沿って概ね対称的に前記終端から前記開口端に向かって移動する第二解除ポジションとの間において、前記横断部材が前記作動力を加えられて移動できるように構成されている
ことを特徴とする請求項１９に記載のロック解除部。
【請求項２１】
前記ロック解除部がさらに、前記第一ロックに連結された第一ケーブルと、前記第二ロックに連結された第二ケーブルとを備え、
前記横断部材が一対の開口を有するように形成され、各開口が一つのケーブルの一端を受容するように構成されている
ことを特徴とする請求項１９に記載のロック解除部。
【請求項２２】
前記アクチュエータハンドルが、前記離間された壁の一つに隣接して前記横断部材に連結されている
ことを特徴とする請求項１９に記載のロック解除部。
【請求項２３】
前記横断部材が、前記スロットの前記終端と係合するように付勢される
ことを特徴とする請求項１５に記載のロック解除部。
【請求項２４】
前記アクチュエータハンドルがＪ字形のグリップである
ことを特徴とする請求項１５に記載のロック解除部。
【請求項２５】
前記フレームと前記患者支持装置との間に延在するマウント部分をさらに備えている請求項１５に記載のロック解除部。
【請求項２６】
一端で前記マウント部分に連結され、前記マウント部分の反対側の端部で前記フレームに連結されたガススプリングをさらに備えている、請求項２５に記載のロック解除部。
【請求項２７】
前記ガススプリングが、患者の手足によって前記フレームに加えられる荷重と釣り合いを取るために、前記フレームの前記第一軸を中心とする回転に抵抗するように構成されている、
前記第一軸が、前記フレームが使用位置に移動されるときの水平軸である
ことを特徴とする請求項２６に記載のロック解除部
【請求項２８】
前記第一軸回転ロック及び前記第二軸回転ロックが、
前記フレームに連結された外側ハウジングと、
前記ハウジングと係合するように配置されたラップスプリングと、
前記ラップスプリングを貫通して伸張するシャフトと、
離間された関係で配置されて前記外側ハウジングの相対する両側に連結され、前記ロック解除部に連結された第一フランジ及び第二フランジと、
を有している
ことを特徴とする請求項１５に記載のロック解除部。
【請求項２９】
前記ラップスプリングが前記シャフトに沿って自由に移動できるように、前記フランジが、加えられる前記作動力を受けてお互いに向かって動いて前記ラップスプリングの内径の拡張を引き起こすように構成されている
ことを特徴とする請求項２８に記載のロック解除部。
【請求項３０】
患者支持装置と一緒に使用するためのロック解除部であって、
前記患者支持装置に連結可能であり、前記患者支持装置に対して第一軸及び第二軸を中心に回転するように構成されている足支持体であって、移動平面を定義する一対の平行する離間されたスロットを有するように形成されたＵ字形の案内ブラケットを有し、各スロットは終端と開口端とを有するように形成されており、さらに前記患者支持装置に対する前記第一軸及び前記第二軸を中心とする前記足支持体の回転を阻止するようになっている第一ロック及び第二ロックを有するような足支持体と、
前記案内ブラケットに対して前記移動平面に沿って移動できるように前記スロットに配置され、さらに前記第一ロック及び前記第二ロックに連結されてこれらロックを同時に解除して前記患者支持装置に対する前記第一軸及び前記第二軸を中心とする前記足支持体の回転を可能にするような横断部材と、
前記案内ブラケットに対して前記横断部材を移動させて前記第一ロックと前記第二ロックとを同時に解除するために、作動力を加えるために前記横断部材に連結された解除アクチュエータと
を備えているロック解除部。
【請求項３１】
前記解除アクチュエータがＪ字形のグリップであり、前記グリップは、前記横断部材に一端で連結されて、前記移動平面に沿って加えられる作動力を前記グリップの長さに沿ったどの位置においても加力し得るように構成されている
ことを特徴とする請求項３０に記載のロック解除部。
【請求項３２】
前記足支持体と前記患者支持装置との間に延在するマウント部分をさらに備えている請求項３０に記載のロック解除部。  
【請求項３３】
前記足支持体が、離間された側壁を持つフレームと、その間に延在する外側グリップとを有している
ことを特徴とする請求項３２に記載のロック解除部。
【請求項３４】
一端で前記マウント部分に連結され、前記マウント部分の反対側の端部で前記フレームに連結されたガススプリングをさらに備えている、請求項３２に記載のロック解除部。
【請求項３５】
前記ガススプリングが、患者の手足によって前記フレームに加えられる荷重と釣り合いを取るために、前記フレームの前記水平軸を中心とする回転に抵抗するように構成されている
ことを特徴とする請求項３４に記載のロック解除部。
【請求項３６】
各スロットの前記開口端が前記外側グリップに向かって開口している
ことを特徴とする請求項３０に記載のロック解除部。
【請求項３７】
前記横断部材が、前記スロットの前記終端と係合するように付勢される
ことを特徴とする請求項３０に記載のロック解除部。
【請求項３８】
前記第一ロックと前記第二ロックとを同時に解除するために、前記横断部材の一部が、対応するスロットの終端と接触を保ってそこに回転点を確立し、その一方で前記横断部材の反対側の端部が前記スロットの前記開口端に向かって移動する第一解除ポジションと、前記第一ロックと前記第二ロックとを同時に解除するために前記横断部材の各部分が各スロットに沿って概ね対称的に前記終端から前記開口端に向かって移動する第二解除ポジションとの間において、前記横断部材が前記作動力を加えられて移動できるように構成されている
ことを特徴とする請求項３０に記載のロック解除部。
【請求項３９】
さらに一対のケーブルを備えており、
前記横断部材が一対の開口を有するように形成されており、各開口が一つのケーブルの一端を受容するように構成されており、これらのケーブルがさらに前記第一ロック及び第二ロックに連結されている
ことを特徴とする請求項３０に記載のロック解除部。
【請求項４０】
前記第一ロック及び前記第二ロックがそれぞれ、
前記フレームに連結された外側ハウジングと、
前記ハウジングと係合するように配置されたラップスプリングと、
前記ラップスプリングを貫通して伸張するシャフトと、
離間された関係で配置されて前記外側ハウジングの相対する両側に連結され、前記ロック解除部に連結された第一フランジ及び第二フランジと、
を有している
ことを特徴とする請求項３０に記載のロック解除部。
【請求項４１】
前記ラップスプリングが前記シャフトに沿って自由に移動できるように、前記フランジが、加えられる前記作動力を受けてお互いに向かって動いて前記ラップスプリングの内径の拡張を引き起こすように構成されている
ことを特徴とする請求項４０に記載のロック解除部。
【発明の詳細な説明】
【技術分野】
【０００１】
本開示は、出産時の陣痛や分娩の間に患者の身体を支持する出産用ベッドに付着する付属品に関する。さらに詳細には、本開示は、出産用ベッド又は出産用ベッド付属フレームに付着し、陣痛や分娩の間に患者の身体の手足を固定し支持するように構成されている患者支持付属品に関する。
【発明の開示】
【発明が解決しようとする課題】
【０００２】
患者が横臥体勢となる出産分娩の間、患者の脚は、下にあるテーブル面で支持されることのないように治療・介護者によって配置されることが望ましい。多くの状況で、子供の分娩のために望ましい体勢に患者を配置するのに十分なほどの患者の膝関節の屈曲を可能にする手足支持装置を有することが重要となる。
【課題を解決するための手段】
【０００３】
本開示は、単独でも組み合わせても特許可能な対象を備え得る、一つ以上の添付の特許請求の範囲に記載された特徴及び／又は以下に記載する特徴を備えている。
【０００４】
手足支持体は、例えば出産分娩のための出産用ベッドなど、離間された２つの概ね平行な長手方向の部材を有している患者支持装置に固定されるように構成されている。足支持体として実現される手足支持体は、その上の患者、特に、例えば、出産分娩に向けて陣痛中の患者などの足を支持するように調節可能に構成されている足受容部分を備えている。足支持体は、患者の足に合わさるような形状をしていてもよい。
【０００５】
足支持体はさらに、患者支持装置に対して垂直軸と水平軸の両方を中心に回転するように構成されているフレームを備えていてもよい。関連する軸を中心とするフレームの回転動作を阻止するように構成されている一対のロックがフレームに連結されている。フレームは、互いに平行に離間された関係で配置された一対の壁を有しているＵ字形ブラケットを有している。各壁は、終端を有して回転の水平軸から離れて開口するように配列される行き止まりスロットを有するように形成されている。
【０００６】
垂直回転阻止ロックと水平回転阻止ロックの両方を同時に解除して治療・介護者が足支持体を所望の位置に移動できるように、ロック解除アクチュエータが治療・介護者からの作動力を受けるためにフレームに連結されている。ある実施形態では、ロック解除アクチュエータがグリップとして実現されていてもよい。グリップは横断部材に連結されており、この横断部材は、横断部材の各部分が両方のスロットにそこに滑動可能に受容されるように配置されている。横断部材は一対のケーブルを通してロックに連結されている。各ケーブルは関連する回転阻止ロックに連結されている。
【０００７】
グリップは概ねＪ字形であり、作動力の加力のために治療・介護者の手を受けるように配列されている。グリップは、グリップの長さに沿って作動力が加えられる場所に関わらず作動力をロックに伝達するように構成されている。
【０００８】
作動力が足支持体フレームの概ね長手方向軸に沿ってグリップに加えられると、横断部材は、概ね対称的な動きで両方のスロットの開口に向かって移動する。しかし、斜めの作動力がグリップに加えられた場合でも、スロット終端の配列によって、横断部材は終端を中心に回転軸を形成できるようになっている。よって、横断部材の一端がスロット終端を中心に回転する一方、他方の端部はスロット開口に向かって自由に移動できるので、横断部材はケーブルを十分に移動させることができ、これにより関連するロックを解除できる。
【０００９】
手足支持体はさらに、足支持体に取り付けられて足支持体の下の収納位置から様々な使用位置の一つに移動可能な脚支持体を備えていてもよい。脚支持体は、足支持体に連結された回転連結体を通して足支持体に回転可能に連結されていてもよい。脚支持体は、アームと、アームに連結されたボールロックアセンブリと、出産患者の脚の一部を受容し支持するようにボールロックアセンブリに連結されたクッションアセンブリとを備えている。クッションが、患者の身体の輪郭に適合するように構成されていてもよい。ある実施形態では、脚支持体は、凸状の形状である上方に向く面を有していてもよい。
【００１０】
回転連結体は、本体と、ばね装填解除ハンドルとを有している。回転連結体はさらに内部回転シャフトを有しており、このシャフトを中心にアームが回転する。
【００１１】
アームは、回転カラーと、オフセットシャフトとを備えている。回転カラーは２つのスロットを有するように形成されており、これらのスロットがばね装填解除ハンドルに連結されたロックロッドを受容して、収納位置又は使用位置のどちらにおいてもアームを一つの位置に保持する。アームは、それ故脚支持体は、脚支持体を収納位置から患者の脚を受容する使用位置に動かすために、軸を中心に回転可能となっている。
【００１２】
ボールロック機構は、ハウジングと、解除ハンドルと、ボールマウントと、ばね付勢アセンブリとを有している。ボールロック機構は、ボールマウントがハウジングに対して自由に回転できるロック解除位置と、ボールマウントがハウジングに対する動作を抑止されるロック位置との間を移動可能となっている。ボールマウントは、球状部分と、クッションアセンブリに連結されたマウントと係合するように構成されているシャフトとを備えている。ボールロック機構を係合するために解除ハンドルが使用される。
【００１３】
解除ハンドルは、曲がりシャフトと、グリップとを有している。解除ハンドルが治療・介護者によって回転されて、ボールロック機構をロック位置とロック解除位置との間で移動させる。カムがばね付勢アセンブリのフランジを支持している。フランジは複数のばね座金を支持し、ばね座金はクレードルを支持し、クレードルはボールマウントの球状部分を受容している。カムは４つの側面を有しており、２つの相対する側面は他方の２つの相対する側面よりも薄い厚みを有している。これにより、カムが所定の方向に９０°回転されるとフランジの変位が、故にばね座金のたわみが変わる。
【００１４】
ばね座金がクレードルへ、故にボールマウントへ行使する力が最小のとき、ボールマウントは球状部分の中心を軸に複数の方向へ回転可能となる。カムが反対の方向へ回転されると、クレードルが球状部分に押し付けられて、球状部分がハウジングの環状面に押し付けられて、ボールマウントの回転が抑止されるようになる。
【００１５】
以上で列挙した特徴や特許請求の範囲で列挙した特徴を含め、その他の特徴も、単独でもその他のいずれの特徴と組み合わせても、特許可能な対象を備えることができる。そしてこれらの特徴は、以降に示す例示的な実施形態についての詳細な説明を考慮して当業者には明らかとなるだろう。これらの実施形態は、ここで説明した発明を実行する最良の形態を例示するものである。
【発明を実施するための最良の形態】
【００１６】
出産時の陣痛や分娩のための患者支持装置１０は、足支持体１２及び１４として実現される一対の手足支持体１２及び１４を有している。足支持体１２及び１４は同様の構造を有しており、足支持体１２が患者の右側に配置されるものであり、足支持体１４が患者の左側に配置されるものである。図１に示すとおり、足支持体１２及び１４は患者支持装置１０のヨーク１６に対して関節動作が可能になっており、足支持体１４が関節動作された位置で示されている（想像線のもの）。足支持体１２及び１４の関節動作によって、出産プロセスの間に、治療・介護者が足支持体１２及び１４の位置を調節し、座部デッキ１８やマットレス２０上に支持される患者の足の位置を調節することが可能になる。
【００１７】
以下の説明では患者支持体１４の構造について説明するが、足支持体１２も実質的に同様に動作することを理解されたい。相違点は、足支持体１４が左側に、足支持体１２が右側に配置されるものであるということだけである。図１に示すとおり、足支持体１４の主要部分２２が、概ね水平な軸２４を中心に回転可能となっている。さらに、足支持体１４のマウント部分２６が概ね垂直な軸２８を中心に回転可能となっており、これにより足支持体１４全体が軸２８を中心に回転される。
【００１８】
図３に提示するとおり、足支持体１４がカバーを省かれた状態で示されて、足支持体１４の機械構造が分かりやすいようになっている。足部支持体１４は、例えば図１等にあるように、矢印３０で示すとおり複数の方向に軸２８を中心に回転可能となっている。再度図３を参照すると、主要部分２２がマウント部分２６に回転可能に連結されており、矢印３２で示すとおり軸２４を中心に回転可能となっている。主要部分２２は、フレーム３４に連結されたロック解除部１５と、フレーム３４に連結されてガススプリング３８と係合するように構成されているマウント３６とを備えている。ガススプリング３８は、患者の足の荷重が足支持体１４上に支持されているときに、治療・介護者が軸２４を中心として主要部分２２の位置を調節することが容易になるように、主要部分２２の軸２４を中心とする回転に抵抗する平衡力として機能する。主要部分２２はさらにブラケット４０を備えている。ブラケット４０はフレーム３４に連結されており、ロック機構４２を支持するように配置されている。ロック機構４２は、ロック位置に付勢されて、足部支持体１４のマウント部分２６に対する主要部分２２の回転を抑止する。
【００１９】
図３に示すとおり、主要部分２２はさらにフランジ４４を備えており、フランジ４４は、フレーム３４の相対する側壁５４及び５６に連結されている。フランジ４４は２つの解除ケーブルアセンブリ４６及び４８を支持している。解除ケーブル４６はその一端でロック機構４２に連結されており、主要部分２２がマウント部分２６に対して軸２４を中心に移動できるように、ロック機構４２の解除を作動させることが可能となっている。解除ケーブル４８はロック機構５０（図５に最も良く示す）に連結されており、マウント部分２６が軸２８を中心に矢印３０の方向に回転できるように、ロック機構５０の解除を作動させることが可能となっている。
【００２０】
図３に示すとおり、主要部分２２はさらに外側グリップ５２を備えており、外側グリップ５２はＵ字形をしており、フレーム３４の側壁５４及び５６の外面に連結されている。外側グリップ５２は、使用者が、軸２４及び２８を中心に足支持体１４の位置を変えるときに足支持体１４を案内するのに利用できるようになっている。主要部分２２はさらに案内ブラケット５８を備えている。案内ブラケット５８はフレーム３４に連結されている。図７に示すように、案内ブラケット５８は２つのスロット６０及び６２を有しており、これらのスロットは、解除ハンドル６６の横断部材６４を、横断部材がスロット６０及び６２内で案内ブラケット５８に対して自由に移動できるように受容している。横断部材６４は２つの開口６８及び７０を有しており、これらの開口はそれぞれ、解除ケーブル４８及び４６の一部を受容するように構成されている。解除ハンドル６６はグリップ部分７２を備えている。グリップ部分７２は、使用者が把持してこれにより解除ケーブル４６及び４８を同時に作動させ、軸２４及び／又は２８を中心とする足支持体１４の調整を可能とするのに利用できるようになっている。
【００２１】
解除ケーブル４６及び４８は同様の構造を有しており、図４及び図７に最も良く示すように、それぞれ外側シース７４と、外側シース７４に対して移動する内側ケーブル７６とを有している。各解除ケーブル４６及び４８はさらに、それぞれ開口７０及び６８に受容される係合端部７８を有している。解除ケーブルアセンブリ４６及び４８はそれぞれ固定アセンブリ８０によってフランジ４４に支持されている。固定アセンブリ８０は、各ケーブル４６及び４８の外側シース７４をフレーム３４に対して固定させて保持する。これにより、グリップ部分７２がフレーム３４に対して、例えば矢印８２の方向に作動されると、各解除ケーブル４６及び４８の内側ケーブル７６がフレーム３４に対して移動し、ロック機構４２及び５０の解除が引き起こされる。これによって、ヨーク２２に対する足支持体１４の位置の調節が可能になる。
【００２２】
図７に示すように、内側ケーブル７６がロック機構４２及び５０に向かって引っ張られてこれにより横断部材６４を矢印８２と反対の方向へ付勢するように、ロック機構４２及び５０が付勢されている。スロット６０及び６２は行き止まりのスロットであり、それぞれ終端８４及び８６を有している。解除ケーブル４６及び４８の内側ケーブル７６を通して伝達されたロック機構４２及び５０の付勢によって、横断部材６４は終端８４及び８６と係合するように付勢される。案内ブラケット５８に対する横断部材６４の動きがロック機構４２及び５０の付勢に打ち勝って、これによりロック機構４２及び５０を解除する。図７の例示的な実施形態では、横断部材６４は、案内ブラケット５８のスロット６０及び６２によって定義される移動平面において、複数の方向に自由に移動できる。
【００２３】
横断部材６４が複数の方向へ自由に移動できるため、使用者は、ロック機構４２及び５０を解除するために、解除ハンドル６６を必ずしも矢印８２の方向に作動させる必要はない。例えば、使用者がグリップ部分７２を把持して解除ハンドル６６を矢印１０８の方向に動かした場合、この動きが横断部材６４に伝達されて、横断部材６４が、終端８６に対して回転するように、スロット６２の終端８６との接触を保ってスロット６０内を動くようになる。
【００２４】
さらに、横断部材６４は、スロット６０及び６２によって定義される移動平面において、スロット６０及び６２の長手方向長さに垂直な方向にも自由に移動できる。そして内側ケーブル７６が解除ケーブル４６及び４８の外側シース７４に対して移動して、これによりロック機構４２及び５０を解除する。よって使用者は、ロック機構４２及び５０を同時に解除するために、解除ハンドル６６のグリップの長さに沿ったどの位置でも解除ハンドル６６を把持してよく、様々な方向のどの方向に向かっても作動力を加えてよい。
【００２５】
再度図３を参照すると、ロック機構４２が保持ピン８８及びユーピン留め具９０によってブラケット４０に留められている。ユーピン留め具９０がピン８８をブラケット４０に保持している。図５に提示するとおり、ロック機構４２は同様に２つのフランジ９２及び９４にピンで留められている。フランジ９２及び９４は主要部分３３０のフレーム部分９６に連結されている。保持ピン８８及びユーピン留め具９０がロック機構４２をフランジ９４及び９２に連結している。ロック機構４２は、ブラケット４０に対してピン８８を中心に回転可能となっており、フランジ９２及び９４に対して回転可能となっている。ロック位置にあるとき、ロック機構４２は、各ピン８８の間の距離を保ち、軸２４を中心とした主要部分２２の回転を阻止する。ピン８８とブラケット４０とフランジ９２及び９４のピン８８との間の距離を変えることによって、主要部分２２は軸２４を中心に回転し、足支持体１４の位置が変更される。
【００２６】
図９に示すとおり、ロック機構５０は、マウント部分２６のフレーム９６にピン９８を通して連結されている。ロック機構５０は同様に、カムアセンブリ１１０のカムプレート１００にピン１０２を通して連結されている。ピン９８及び１０２は、一対のｅリング１０４及び１０６によってそれぞれロック機構５０に保持されている。カムアセンブリ１１０はさらに鍵留めカラー１１２を備えている。鍵留めカラー１１２は、患者支持装置１０のヨーク２２にシャフトを係止するように構成されている。カラー１１２は鍵留めスロット１１４を備えている。鍵留めスロット１１４は、ヨーク２２のシャフト（図示せず）上で鍵（図示せず）と係合する。鍵留めスロット１１４とシャフトの鍵との係合によって、シャフトはヨーク２２に固定され、鍵留めカラー１１２はシャフトを中心とした回転が抑止される。
【００２７】
カムアセンブリ１１０は、マウント部分２６のフレーム９６に対して軸２８を中心に回転可能になっている。ロック機構が係合されると、ロック機構５０がフレーム９６に対するカムアセンブリ１１０の回転を阻止する。ロック機構が解除されると、ロック機構５０の外側ハウジング１１６がシャフト１１８に沿って自由に移動できるようになり、これによりマウント部分２６のフレーム９６は、カムアセンブリ１１０に対して新しい方向に回転できるようになる。カムアセンブリ１１０はヨーク２２に関して同じ又は相対位置にとどまるが、マウント部分２６は、故に足支持体１４の残りの部分は、ヨーク２２に対して回転する。
【００２８】
ロック機構４２及び５０は同様に動作する。これについては、図８に示すロック機構４２を参照して説明する。ロック機構４２は、ラップスプリング（図示せず）が弛緩した状態のときシャフト１１８と係合するような、ラップスプリング機構である。ラップスプリングの内径はシャフト１１８の外径よりも若干小さくなっているため、ラップスプリングがシャフト１１８と係合すると、スプリングはシャフト１１８の長手方向の長さに沿った移動が阻止されて、これによりスプリングがシャフト１１８に固定されるようになる。ロック機構４２はさらに、スプリングと係合される外側ハウジング１１６を備えている。
【００２９】
ハウジング１１６は円筒形の主要部分１２８と、２つのフランジ１２４及び１２６とを備えている。フランジ１２４及び１２６は、円筒形の主要部分１２８を挟んで向かい合う側にそれぞれ連結されている。ハウジング１１６はさらに接続フランジ１３０を備えている。接続フランジ１３０は、ハウジング１１６を外部部材（図示せず）に接続するために使用される。フランジ１２４及び１２６は、作動力がフランジに伝達されるように、ケーブル４６の末端に連結される。ケーブル４６によって伝達された作動力を受けてフランジ１２４及び１２６が矢印１３２で示すとおり接合されると、ハウジングの内部にあるラップスプリングはその本体の内径が拡大するように構成されており、これによりスプリングはシャフト１１８に沿って自由に移動できるようになる。フランジ１２４及び１２６が解除されると、スプリングの内径は収縮し、スプリングはシャフト１１８に固定され、これによりシャフト１１８に対するハウジング１１６の移動が阻止されるようになる。
【００３０】
シャフト１１８はフランジ１２０を有している。フランジ１２０はシャフト１１８の一端に配置されて、スプリングが、故にハウジング１１６が、シャフト１１８の端部から滑って外れることを防ぐ。フランジ１２０と反対側のシャフト端部では、アイレット１２２がシャフト１１８に連結されており、シャフト１１８を他の外部部材に接続する役目を果たす。使用時、解除ケーブル４８は、内側ケーブル７６がフランジ１２４に、外側シース７４がフランジ１２６に接続されるようにロック機構に連結されて、これにより前述したとおりの解除ハンドル６６の動きによってフランジ１２４及び１２６の矢印１３２の方向への収縮が引き起こされ、よってロック機構４２を解除できるようになる。これによって、足支持体１４をヨーク２２に対して軸２４を中心に複数の位置へ調節できるようになる。ロック機構５０の解除も同様に行われ、足支持体１４を軸２８を中心に調節できるようになる。
【００３１】
例えば、足支持体１２及び１４は、図１ではそれぞれ定位置で示されているが、図１０では、概ね垂直な軸及び概ね水平な軸の両方を中心に、直立の邪魔にならない位置に関節動作させられた状態で示されている。足支持体１２及び１４は概ね水平な軸及び概ね垂直な軸を中心に複数の位置に調節可能であり、これにより足支持体１２及び１４は、治療・介護者の所望のとおりに複数の位置や方向に配置できるようになっている。
【００３２】
図１０の例示的な実施形態では、２つの脚支持体１５０及び１５２がそれぞれ足支持体１２及び１４に連結されている。さらに足支持体１２は、足受容カバー１４０と、水平軸回転機構を覆うベローズカバー１４２と、マウントカバー１３８とを備えている。足支持体１４は、足受容カバー１４４と、ベローズ１４８と、マウントカバー１４６とを備えている。
【００３３】
図１２に示す患者支持装置２１０の第二の例示的な実施形態では、２つの手足支持体２１６及び２１８がそれぞれ足支持体１２及び１４に連結されている。図１２〜図１４に提示するとおり脚支持体２１６は移動可能となっており、図１２に示すような足支持体１６の下の収納位置と、図１４に示すような様々な使用位置のいずれとの間でも移動可能となっている。脚支持体２１６及び脚支持体２１８は同様の構造を有しているが、脚支持体２１６は右側に脚支持体２１８は左側に配置されるように構成されている。以下では脚支持体２１６の構造を詳細に説明する。しかし、脚支持体２１６の説明は脚支持体２１８の全体的な構造にも適用可能なものであり、相違点は２つの脚支持体２１６及び２１８が右左のどちら用かということだけであることを理解されたい。
【００３４】
図１３及び図１４に示すとおり、脚支持体２１６は、足支持体１６に連結された回転連結体２３２を通して、足支持体１２に回転可能に連結されている。脚支持体２１６は、アーム２３４と、アーム２３４に連結されたボールロックアセンブリ２３６と、ボールロックアセンブリ２３６に連結されたクッションアセンブリ２３８とを備えている。ここで図２０を参照すると、回転連結体２３２は、第一ナックル２３５と、第二ナックル２３７と、第一ナックル２３５に連結されたばね装填解除ハンドル２４２とを有する本体２４０を有している。回転連結体２３２はさらに内部回転シャフト２３３を有しており、内部回転シャフト２３３を中心にアーム２３４は回転する。
【００３５】
図１７にアーム２３４を示す。アーム２３４は、回転カラー２４４と、オフセットシャフト２４６と、第一端部２４３と、第二端部２４５とを備えている。回転カラー２４４は２つのスロット２４８及び２５０を備えている。これらのスロットがばね装填解除ハンドル２４２に連結されたロックロッド（図示せず）を受容して、収納位置又は使用位置のどちらにおいても一つの位置にアーム２３４が保持されるようにする。アーム２３４は、それ故脚支持体２１６は、図１５に示す軸２５２を中心に回転する。
【００３６】
図１８及び図１９にボールロック機構２３６の詳細を示す。ボールロック機構２３６は、ハウジング２５４と、ハンドルアセンブリ２５６と、ボールマウント２５８と、ばね付勢アセンブリ２６０とを備えている。ボールロック機構２３６は、ボールマウント２５８がハウジング２５４に対して自由に回転できる位置と、ボールマウント２５８のハウジング２５４に対する動きが抑止される位置との間を移動可能になっている。ボールマウント２５８は、球状部分２６２とシャフト２６４とを備えている。シャフト２６４は、クッションアセンブリ２３８のマウント２６６（図２１に最も良く示す）と係合するように構成されている。ハンドルアセンブリ２５６は、ボールロック機構２３６を係合させるために使用される。
【００３７】
ハンドルアセンブリ２５６は、曲がりシャフト２６８とグリップ２７０とを備えている。ハンドルアセンブリ２５６は、シャフト２６８が矢印２７２の方向に回転されてこれによりボールロック機構２３６をロック位置とロック解除位置との間で移動させるように、作動される。ここで図１９を参照すると、シャフト２６８がカム２７４に連結されており、カム２７４はばね付勢アセンブリ２６０のフランジ２７６を支持している。フランジ２７６は４つのばね座金２７８を支持している。ばね座金２７８はクレードル２８０を支持しており、クレードル２８０はボールマウント２５８の球状部分２６２を支持している。カム２７４は４つの側面を有しており、２つの相対する側面は、他方の２つの相対する側面よりも厚みが薄くなっている。これにより、カム２７４が矢印２７２の方向に９０°回転することによって、フランジ２７６の変位が変わり、それ故ばね座金２７８のたわみが変わる。図１９に示すとおり、ばね座金２７８の変位が最小となる。図１９の位置では、ばね座金２７８がクレードル２８０にそれ故ボールマウント２５８に行使する力は最小のものとなっており、これによりボールマウント２５８は球状部分２６２の中心を軸にして複数の方向に回転可能となっている。アーム２７４が９０°回転されると、クレードル２８０が球状部分２６２に押し付けられ、よって球状部分２６２がハウジング２５４の環状面２８２に押し付けられて、これによりボールマウント２５８の動きが抑止されるようになる。
【００３８】
ここで図２３を参照すると、ハウジング２５４の一部が取り除かれてスロット２９２が形成されている。スロット２９２は、脚支持体２１６が収納位置にあるときにボールマウント２５８のシャフト２６４を受容するように構成されている。シャフト２６４は２つの側面２８８及び２９０を有しており、これらの側面によって、シャフト２６４のテーパー状の断面が形成されている。脚支持体２１６の収納時に、クッションアセンブリ２３８の動きを阻止するためにシャフトをスロット２９２に収容することが、このテーパー形状によって容易になる。
【００３９】
脚支持体２１６の構造によって、脚アセンブリは、図２０に示す軸２９４を中心に矢印２９６の方向に回転可能となっている。脚支持体が軸２９４を中心に回転されると、クッションアセンブリ２３８は、ボールロック機構２３６に対して、例えば図１６に示す使用位置に向かう矢印２８６の方向等、複数の位置に配置可能となる。
【００４０】
ここで図２１〜図２４を参照すると、クッションアセンブリ２３８は成形発泡カバー２９８を備えている。成形発泡カバー２９８は支持構造３００に連結されている。マウント２６６が２つの留め具３０２を通して構造３００に連結されている。マウント２６６は貫通孔３０４を有しており、貫通孔３０４は、ボールマウント２５８のシャフト２６４がマウント２６６の下面３０８にある止まり穴３０６に配置されると、クッションアセンブリ２３８がボールマウント２５８に連結されて留め具３０５で固定されるように、配置されている。
【００４１】
カバー２９８は、カバー２９８の面５３２に２つのリッジ３１０及び３１２を形成するように成形されている。リッジ３１０及び３１２は、ストラップ３１４をリッジ３１０と３１２との間に配置できるように離間して配置されている。ストラップ３１４は、患者が陣痛等の間、脚をクッションアセンブリ２３８に配置して保持するのを助ける固定ストラップとして使用される。リッジ３１０及び３１２によって、ストラップ３１４を、クッションアセンブリ２３８の長手方向の長さに沿って滑ることなく配置して保持しやすくなる。クッションアセンブリ２３８はさらに成形リッジ３１６を有している。成形リッジ３１６はクッションアセンブリ２３８の周囲辺りに伸張して、縁が鋭利なものとならないようにしている。カバー２９８はオーバーモールドされた発泡体を備えている。
【００４２】
カバー２９８は、単一の金属板である構造３００を覆っている。ある実施形態では、金属板の代わりにＡＢＳなどの剛性のプラスチック材を使用してもよい。構造３００は主要部分３１８を有している。主要部分３１８はいくつかの貫通孔３２０を有している。貫通孔３２０は、上部と下部との間におけるオーバーモールドの付着を可能にするように構成されている。構造３００はさらに、主要部分３１８の長さに沿って長手方向に伸張する２つのフランジ３２４及び３２６を有している。さらなるフランジ３２２が主要部分３１８に連結されて、クッションアセンブリ２３８の縁を越えて垂下する脚の下部を支持するようになっている。
【００４３】
詳細な説明では特に、添付の以下のような図面を参照する。
【図面の簡単な説明】
【００４４】
【図１】図１は、本開示の患者支持装置の足側端部側からの斜視図であり、関節動作可能なヨークに連結された一対の手足支持体を示し、左側の手足支持体を想像線にて関節動作された位置で示している。
【図２】図２は、図１の患者支持装置の手足支持体ロック解除機構に含まれる例示的な部品を示す組立斜視図である。
【図３】図３は、足支持体として実現される手足支持体（カバーを取り除いた状態）の平面図であり、（左から右へ）外側グリップと、ロック解除グリップと、フレームと、水平軸マウント及び垂直軸マウントとを示している。
【図４】図４は、図３の足支持体の底面図であり、足支持体を一部取り除いた状態で示している。
【図５】図５は、図３の足支持体の下側を示す斜視図である。
【図６】図６は、図３の足支持体の側面図である。
【図７】図７は、図４のロック解除機構の斜視図であり、案内ブラケットに形成された一対の案内スロットに配置された横断部材に連結されたグリップと、横断部材に第一端部で連結された一対の解除ケーブルとを示している。
【図８】図８は、ロック機構の斜視図であり、マウントに連結されたシャフトを示している。
【図９】図９は、図３の水平回転マウント及び垂直回転マウントを示す拡大平面図である。
【図１０】図１０は、図１と同様の斜視図であるが、各足支持体が直立の邪魔にならない位置に移動するように、垂直軸と水平軸の両方を中心に回転させた各足支持体（及び各足支持体に取り付けられた付属の脚支持体）を示している。
【図１１】図１１は、図３と同様の平面図であるが、外側グリップを取り除いて示している。
【図１２】図１２は、本開示の第二実施形態に従った患者支持装置の斜視図であり、足支持体に取り付けられて足支持体に対して関節動作可能になっているふくらはぎ支持体をさらに有する一対の足支持体を示している。
【図１３】図１３は、各足支持体が邪魔にならない位置に関節動作されて、治療・介護者が患者支持装置の座部支持部分エリアに接近できるようになっている、図１２の患者支持装置の斜視図である。
【図１４】図１４は、出産陣痛の間に患者が脚の一部をふくらはぎ支持体に置くことができるようふくらはぎ支持体が配置されるように足支持体及びふくらはぎ支持体が関節動作された、図１２の患者支持装置の斜視図である。
【図１５】図１５は、図１３に示すとおりに足支持体に取り付けられたふくらはぎ支持体の斜視図であって、足支持体に対して関節動作されたふくらはぎ支持体と、想像線で収納位置にあるふくらはぎ支持体が示されている。
【図１６】図１６は、図１５と同様の斜視図であるが、足支持体に対して多軸回転マウントを中心に関節動作された状態と、想像線にて中間位置にある状態のふくらはぎ支持体が示されている。
【図１７】図１７は、図１２の例示的な実施形態のふくらはぎ支持体の支持アームと多軸回転マウントとを示す斜視図である。
【図１８】図１８は、図１７の多軸回転マウントと支持アームの一部を示す平面図である。
【図１９】図１９は、線１９−１９に沿って切り取った、図１８の多軸回転マウントを示す断面図である。
【図２０】図２０は、図１５及び図１６の支持アームと多軸回転マウントの例示的な部品を示す組立斜視図である。
【図２１】図２１は、図１４のふくらはぎ支持体のクッションアセンブリを示す斜視図である。
【図２２】図２２は、図２１のクッションアセンブリを示す底面図である。
【図２３】図２３は、線２３−２３の沿って切り取った、図２２のクッションアセンブリを示す断面図である。
【図２４】図２４は、図２２のクッションアセンブリの機械的はめ込みを示す斜視図である。
【符号の説明】
【００４５】
１０  患者支持装置
１２、１４  足支持体
１５  ロック解除部
２４  水平軸
２６  マウント部分
２８  垂直軸
３４  フレーム
３８  ガススプリング
４２、５０  ロック機構
４６、４８  解除ケーブルアセンブリ
５２  外側グリップ
５８  案内ブラケット
６０、６２  行き止まりスロット
６４  横断部材
６６  解除ハンドル
６８、７０  横断部材の開口
８４、８６  スロット終端
１１６  外側ハウジング
１１８  ロック機構のシャフト
１２４、１２６  ロック機構のフランジ
【図１】
2007136204.tif 000003
【図２】
2007136204.tif 000004
【図３】
2007136204.tif 000005
【図４】
2007136204.tif 000006
【図５】
2007136204.tif 000007
【図６】
2007136204.tif 000008
【図７】
2007136204.tif 000009
【図８】
2007136204.tif 000010
【図９】
2007136204.tif 000011
【図１０】
2007136204.tif 000012
【図１１】
2007136204.tif 000013
【図１２】
2007136204.tif 000014
【図１３】
2007136204.tif 000015
【図１４】
2007136204.tif 000016
【図１５】
2007136204.tif 000017
【図１６】
2007136204.tif 000018
【図１７】
2007136204.tif 000019
【図１８】
2007136204.tif 000020
【図１９】
2007136204.tif 000021
【図２０】
2007136204.tif 000022
【図２１】
2007136204.tif 000023
【図２２】
2007136204.tif 000024
【図２３】
2007136204.tif 000025
【図２４】
2007136204.tif 000026
【外国語明細書】
2007136204.tif 000027
2007136204.tif 000028
2007136204.tif 000029
2007136204.tif 000030
2007136204.tif 000031
2007136204.tif 000032
2007136204.tif 000033
2007136204.tif 000034
2007136204.tif 000035
2007136204.tif 000036
2007136204.tif 000037
2007136204.tif 000038
2007136204.tif 000039
2007136204.tif 000040
2007136204.tif 000041
2007136204.tif 000042
2007136204.tif 000043
2007136204.tif 000044
2007136204.tif 000045
2007136204.tif 000046
2007136204.tif 000047
2007136204.tif 000048
2007136204.tif 000049
2007136204.tif 000050
2007136204.tif 000051
2007136204.tif 000052
2007136204.tif 000053
2007136204.tif 000054
2007136204.tif 000055
2007136204.tif 000056
2007136204.tif 000057
2007136204.tif 000058
2007136204.tif 000059
2007136204.tif 000060
2007136204.tif 000061
2007136204.tif 000062
2007136204.tif 000063
2007136204.tif 000064
2007136204.tif 000065
2007136204.tif 000066
2007136204.tif 000067
2007136204.tif 000068
2007136204.tif 000069
2007136204.tif 000070